(57)【要約】【課題】取り外し作業を効率よく行える踏み板を提供する。【解決手段】  長辺部１１と短辺部１２とを有する長方形板の踏み板本体１０と、２つの短辺部１２の幅方向両端にそれぞれ設けられ、足場を構築する水平材２に対して上方から係合するフック３０と、２つの短辺部１２にそれぞれ２個ずつ、互いに離間して配置され、前記水平材２の下側に迫り出して係合して前記踏み板本体１０の上方への脱落を防止する２個のロック片２１とを踏み板１に備える。同じ短辺部１２に配置された２個のロック片２１は、動作を連動させる連結片２３によって連結する。【選択図】図２
2013181313.tif 000002
【特許請求の範囲】
【請求項１】
長辺部と短辺部とを有する長方形板の踏み板本体と、
２つの短辺部の幅方向両端にそれぞれ設けられ、足場を構築する水平材に対して上方から係合するフックと、
２つの短辺部にそれぞれ２個ずつ互いに離間して配置され、前記水平材の下側に迫り出して係合して前記踏み板本体の上方への脱落を防止するロック片と、を備え、
同じ短辺部に配置された２個のロック片は、動作を連動させる連結片によって連結されていることを特徴とする踏み板。
【請求項２】
前記ロック片は、前記短辺部の幅方向中央部に近接して配置されている請求項１に記載の踏み板。
【請求項３】
前記ロック片には、前記水平材の下側に潜り込むように迫り出した先端部が形成され、
前記連結片は、前記ロック片の前記先端部に設けられている請求項１または２に記載の踏み板。
【請求項４】
前記短辺部に配置され、前記ロック片を支持する上ピンおよび下ピンを更に備え、
前記ロック片には、前記上ピンおよび前記下ピンが挿通される長孔が形成され、
前記ロック片は、前記上ピンおよび前記下ピンが前記長孔によって、その移動が案内されるようになっており、
前記長孔の中央には、凹部が形成され、
前記凹部には、前記上ピンまたは前記下ピンのいずれかが嵌り込むようになっており、
前記上ピンが前記凹部に嵌り込む際には、前記ロック片が前記水平材の下側に迫り出さない位置で姿勢を保持する仮支持姿勢となり、
前記下ピンが前記凹部に嵌り込む際には、前記ロック片が前記踏み板の厚さ範囲に収まる待機姿勢となる請求項１〜３に記載の踏み板。
【請求項５】
請求項１〜４に記載の踏み板を備える足場。
【発明の詳細な説明】
【技術分野】
【０００１】
本発明は、足場に適した踏み板に関する。
【背景技術】
【０００２】
従来、足場を構築する踏み板として、足場を構築する水平材に対して係止自在なつかみ金具が、鋼板の幅方向両端に、それぞれ２カ所ずつ計４カ所設けられ、踏み板が水平材から意図しないときに外れないようにするため、これらのつかみ金具には、外れ止めがそれぞれに設けられているものが知られている（特許文献１参照）。
【先行技術文献】
【特許文献】
【０００３】
【特許文献１】実開平３−５８４３号公報
【発明の概要】
【発明が解決しようとする課題】
【０００４】
しかし、かかる踏み板を水平材から取り外す際には、４カ所すべての外れ止めを１カ所ずつ解除していく必要があったため、手間がかかった。
【０００５】
また、１カ所でも外れ止めの解除が不完全であると、踏み板を取り外すことができない。
【０００６】
本発明は、上述した事情に鑑みてなされたものであり、その目的は、取り外し作業を効率よく行える踏み板を提供することにある。
【課題を解決するための手段】
【０００７】
［１］長辺部と短辺部とを有する長方形板の踏み板本体と、
２つの短辺部の幅方向両端にそれぞれ設けられ、足場を構築する水平材に対して上方から係合するフックと、
２つの短辺部にそれぞれ２個ずつ互いに離間して配置され、前記水平材の下側に迫り出して係合して前記踏み板本体の上方への脱落を防止するロック片と、を備え、
同じ短辺部に配置された２個のロック片は、動作を連動させる連結片によって連結されていることを特徴とする踏み板。
【０００８】
［２］前記ロック片は、前記短辺部の幅方向中央部に近接して配置されている前項１に記載の踏み板。
【０００９】
［３］前記ロック片には、前記水平材の下側に潜り込むように迫り出した先端部が形成され、
前記連結片は、前記ロック片の前記先端部に設けられている前項１または２に記載の踏み板。
【００１０】
［４］前記短辺部に配置され、前記ロック片を支持する上ピンおよび下ピンを更に備え、
前記ロック片には、前記上ピンおよび前記下ピンが挿通される長孔が形成され、
前記ロック片は、前記上ピンおよび前記下ピンが前記長孔によって、その移動が案内されるようになっており、
前記長孔の中央には、凹部が形成され、
前記凹部には、前記上ピンまたは前記下ピンのいずれかが嵌り込むようになっており、
前記上ピンが前記凹部に嵌り込む際には、前記ロック片が前記水平材の下側に迫り出さない位置で姿勢を保持する仮支持姿勢となり、
前記下ピンが前記凹部に嵌り込む際には、前記ロック片が前記踏み板の厚さ範囲に収まる待機姿勢となる前項１〜３に記載の踏み板。
【００１１】
［５］前項１〜４に記載の踏み板を備える足場。
【発明の効果】
【００１２】
前項［１］の発明によると、同じ短辺部に配置された２個のロック片は、動作を連動させる連結片によって連結されているため、一方のロック片を、水平材の下側に迫り出して係合するロック姿勢から水平材の下側に迫り出さないロック解除姿勢にすることにより、同時に他方のロック片をもロック姿勢からロック解除姿勢にでき、ひいては取り外し作業の効率が向上する。
【００１３】
さらに、２個のロック片は、互いに離間して配置されているため、２個のロック片間に一定の距離ができて、より外れにくくできる。なお、「離間」とは、間隙があることをいう。
【００１４】
前項［２］の発明によると、ロック片は、短辺部の幅方向中央部に近接して配置されているため、連結片を短くでき、これにより、強度を向上できるとともに、ロック片を軽量化できる。
【００１５】
前項［３］の発明によると、連結片がロック片の先端部に設けられているため、この先端部を強固にできるとともに、ロック解除時の指がかりにできる。
【００１６】
前項［４］の発明によると、ロック片の長孔の中央には凹部が形成されているため、足場を構築する水平材から踏み板を取り外す際、ロック片を上方に持ち上げて、長孔の凹部に上ピンを嵌め込むことにより、ロック片が水平材の下側に迫り出さない位置で姿勢を保持する仮支持姿勢となり、ひいては踏み板の取り外しを容易にできる。
【００１７】
さらに、複数の踏み板を積み重ねる際、ロック片もしくは連結片またはその両方が、下方側に隣接する踏み板の上部に当たることにより、ロック片は、自重で下がった下方位置から上方位置に案内されて移動しているときに下ピンが長孔の凹部に嵌り込んで、その位置から前後方向前方位置（踏み板本体側とは逆側）に移動してロック片が踏み板の厚さ範囲に収まる待機姿勢となり、ひいては複数の踏み板を積み重ねる妨げにならない。
【００１８】
前項［５］の発明によると、足場は、前項１〜４に記載の踏み板を備えているため、前項１〜４の効果を奏することができる。
【図面の簡単な説明】
【００１９】
【図１】図１は、本発明の一実施形態にかかる踏み板の平面図である。
【図２】図２は、本発明の一実施形態にかかる踏み板の拡大斜視図である。
【図３】図３は、本発明の一実施形態にかかる踏み板を水平材に設置する手順を説明する概略側面図である。
【図４】図４は、本発明の一実施形態にかかる踏み板を水平材に設置する手順を説明する概略側面図である。
【図５】図５は、本発明の一実施形態にかかる踏み板を水平材から外す手順を説明する概略側面図である。
【図６】図６は、本発明の一実施形態にかかる踏み板を複数積み重ねた状態を説明する概略側面図である。
【図７】図７は、本発明の他の実施形態にかかる踏み板の平面図である。
【図８】図８は、本発明の他の実施形態にかかる踏み板の拡大斜視図である。
【発明を実施するための形態】
【００２０】
次に、本発明の一実施形態について、図１〜図６を参照して説明する。
【００２１】
図１〜図６に示すように、一実施形態の踏み板１は、足場を構築する水平材２に取り付けられ、足場の一部を構築するものである。この踏み板１は、長辺部１１と短辺部１２とを有する長方形状の踏み板本体１０と、フック３０と、ロック金具２０とを備える。
【００２２】
フック３０は、２つの短辺部１２の幅方向両端に、それぞれ２個ずつ設けられており、踏み板本体１０の全体では計４個のフック３０が設けられている。このフック３０は、足場を構築する水平材２に対して、その水平材２の上方から係合できるようになっている。
【００２３】
ロック金具２０は、短辺部１２の中央部に配置されている。このロック金具２０は、枠体２６と、ロック片２１と、上ピン２４と、下ピン２５とを備えている。
【００２４】
枠体２６は、板状の部材を折り曲げてコ字状に形成され、板状の部材の両端部が踏み板１の外側に突出するように、踏み板本体１０の短辺部１２の幅方向中央部に固定されている。また、板状の部材の両端部、すなわち枠体２６の両端部には、上ピン２４と下ピン２５を挿通するための孔部が形成されている。
【００２５】
ロック片２１は、２つの短辺部５２にそれぞれ２個ずつ、互いに離間して配置されている。踏み板本体１０の全体では計４個のロック片２１が配置されている。このロック片２１は、短辺部５２の幅方向中央部に、近接して配置されている。
【００２６】
ロック片２１は、短辺部５２に取り付けられる基端部と、水平材２の下側に潜り込むように迫り出した先端部とが形成されている。具体的には、ロック片２１は、側面視において、基端部から先端部に至って徐々に先細り形状となり、基端部から先端部に至って前方側へ徐々に湾曲するものとなっている。このロック片２１の先端部上面は、水平材２の下側に迫り出して水平材２と係合して踏み板本体５０の上方への脱落を防止するものとなっている。
【００２７】
また、このロック片２１の先端部下面には、２個のロック片２１の動作を連動させる連結片２３が取り付けられている。この連結片２３は板状に形成されたものを採用している。
【００２８】
ロック片２１には、上ピン２４および下ピン２５が挿通される長孔２２が形成されている。上ピン２４および下ピン２５は、この長孔２２によって、その移動が案内されるようになっている。長孔２２の形状は、側面視において、基端部から先端部に至って前方側へ徐々に湾曲するものとなっている。長孔２２の中央には、凹部２２ａが形成されている。この凹部２２ａには、上ピン２４または下ピン２５のいずれかが嵌り込むようになっている。  
【００２９】
ロック片２１は、枠体２６の両端部の内側に配置されている。すなわち、上ピン２４および下ピン２５は、枠体２６の孔部とロック片２１の長孔２２との両方の孔に、枠体２６の外側からそれぞれ挿通され、この上ピン２４の端部はかしめられており、下ピン２５の端部はナット止めされている。このため、ロック片２１は、上ピン２４および下ピン２５により支持されているとともに、長孔２２の形状に沿って移動可能とされている。
【００３０】
次に、一実施形態の使用方法について説明する。
【００３１】
通常、図３（Ａ）に示すように、ロック片２１が自重で下がった下方位置にある場合に、踏み板１を水平材２に設置するためには、作業者は、水平材に対して上方からフック３０を水平材に引っ掛ける。
【００３２】
そうすると、図３（Ａ）（Ｂ）に示すように、ロック片２１の下部が、水平材２に当たることにより、ロック片２１は、自重で下がった下方位置から上方位置に案内されて移動し、水平材２の下側に迫り出さないロック解除姿勢となって、フック３０は水平材２に引っ掛けられる。
【００３３】
そして、図３（Ｃ）に示すように、フック３０が水平材２に引っ掛けられた状態で、ロック片２１は、自重により、上方位置から下方位置に案内されて移動（下方に落下）し、再び水平材２の下側に迫り出して係合するロック姿勢になる。
【００３４】
一方、図４（Ａ）に示すように、ロック片２１が水平材２の下側に迫り出さない位置で姿勢を保持する仮支持姿勢にあった場合には、作業者は、ロック片２１がこのような仮支持姿勢のまま、フック３０を水平材２に引っ掛ける。
【００３５】
そうすると、図４（Ｂ）（Ｃ）に示すように、水平材２の上部近傍がロック片２１の一部に当接した衝撃で、上ピン２４が凹部２２ａから外れて、仮支持姿勢が解除される。
【００３６】
そして、フック３０が水平材２に引っ掛けられた状態で、ロック片２１は、自重により、上方位置から下方位置に案内されて移動（下方に落下）するため、水平材２の下側に迫り出して係合するロック姿勢になる。
【００３７】
次に、踏み板１を水平材２から外すためには、図５（Ａ）に示すように、作業者は、ロック姿勢にあるロック片２１を上方に移動させて、図５（Ｂ）に示すように、ロック片２１をロック姿勢から仮支持姿勢にしておいて、踏み板１を水平材２から取り外す。
【００３８】
このとき、ロック片２１は、長孔２２に案内されて上方に移動し、長孔２２の凹部２２ａには上ピン２４が嵌り込む。また、ロック片２１は、凹部２２ａに嵌り込み、この位置で姿勢を保持できるため、再びロック片２１が自重により下方に落下することなく、踏み板１を水平材２から容易に取り外すことができる。
【００３９】
なお、本実施形態では、この仮支持姿勢を水平材２の下側に迫り出さないロック解除姿勢とするが、本発明は必ずしも、このような仮支持姿勢をロック解除姿勢とする必要はなく、例えば、作業者自ら、ロック片２１を水平材２の下側に迫り出さない位置で支え、これをロック解除姿勢として踏み板を持ち上げ、もう一方のロック金具を同様のロック解除姿勢として踏み板を取り外しても良い。
【００４０】
次に、図６（Ａ）〜（Ｃ）を参照して、踏み板１を積み重ねる際について説明すると、作業者は、複数の踏み板１を積み重ねる。このときに、ロック片もしくは連結片またはその両方が、下方側に隣接する踏み板のロック金具の上部に当たることにより、ロック片は、自重で下がった下方位置から上方位置に案内されて移動しているときに、下ピンが長孔の凹部に嵌り込んで、その位置から前後方向前方位置（踏み板本体１０側とは逆側）に移動してロック片が踏み板の厚さ範囲に収まる待機姿勢となる。このため、ロック片２１が複数の踏み板を積み重ねる妨げにならない。
【００４１】
なお、上述のとおり、一実施形態の使用方法について説明してきたが、２個のロック片２１は、連結片２３により動作が連動するため、作業者が一方のロック片２１を操作することにより、他方のロック片２１も同時にロック姿勢、ロック解除姿勢、仮支持姿勢または待機姿勢にできる。
【００４２】
本実施形態の踏み板１は次の利点がある。
【００４３】
すなわち、このロック片２１の先端部下面には、２個のロック片２１の動作を連動させる連結片２３が取り付けられている。このため、一方のロック片２１を、水平材２の下側に迫り出して係合するロック姿勢から水平材２の下側に迫り出さないロック解除姿勢にすることにより、同時に他方のロック片２１をもロック姿勢からロック解除姿勢にでき、さらにその逆もでき、ひいては取り外し作業の効率が向上する。
【００４４】
さらに、ロック片２１は、短辺部５２の幅方向中央部に、近接して配置されているため、連結片２３を短くでき、これにより、強度を向上できるとともに、ロック金具２０自体を軽量化できる。
【００４５】
さらに、ロック片２１には、上ピン２４および下ピン２５が挿通される長孔２２が形成され、上ピン２４および下ピン２５は、この長孔２２によって、その移動が案内されるようになっており、長孔２２の中央には、凹部２２ａが形成され、この凹部２２ａには、上ピン２４または下ピン２５のいずれかが嵌り込むようになっている。
【００４６】
このため、足場を構築する水平材２から踏み板１を取り外す際、ロック片２１を上方に持ち上げて、長孔２２の凹部２２ａに上ピン２４を嵌め込むことにより、ロック片２１が水平材２の下側に迫り出さない位置で姿勢を保持する仮支持姿勢となり、ひいては踏み板１の取り外しを容易にできる。
【００４７】
さらに、複数の踏み板１を積み重ねる際、ロック片２１もしくは連結片２３またはその両方が、下方側に隣接する踏み板１のロック金具２０の上部に当たることにより、ロック片２１は、自重で下がった下方位置から上方位置に案内されて移動しているときに下ピン２５が長孔２２の凹部２２ａに嵌り込んで、その位置から前後方向前方位置（踏み板本体１０側とは逆側）に移動してロック片２１が踏み板１の厚さ範囲に収まる待機姿勢となり、ひいては複数の踏み板１を積み重ねる妨げにならない。
【００４８】
さらに、連結片２３がロック片２１の先端部下面に設けられているため、この先端部を強固にでき、ロック解除時の指がかりにできるとともに、複数の踏み板１を積み重ねた際、この連結片２３を設けたロック片２１の先端部が、水平材２の下側に潜り込むように迫り出しているため、連結片２３が、隣接する下側の踏み板１のロック金具２０上部に接触することでロック金具２０同士が干渉するのを防止し、複数の踏み板１を積み重ねる妨げにならない。
【００４９】
以上、本発明を一実施形態に基づいて説明してきたが、本発明は、これに限定されるものではなく、その発明の範囲で適宜変更可能であり、例えば以下のように構成しても良い。
【００５０】
（１）図６および図７に示すように、他の実施形態の踏み板５は、踏み板本体５０と、フック７０とを備えている。フック７０は、２つの短辺部１２の幅方向両端に、それぞれ２個ずつ設けられており、踏み板本体５０では計４個のフック７０が設けられている。このフック７０の内面には、ロック片６１がこのフック７０と近接するように配置されている。ロック片６１には、上ピン６４および下ピン６５が挿通される長孔６２が形成されている。上ピン６４および下ピン６５は、フック７０の孔部とロック片６１の長孔６２との両方の孔に、フック７０の外側からそれぞれ挿通され、これらの端部はかしめられている。上ピン６４および下ピン６５は、この長孔６２によって、その移動が案内されるようになっているとともに、上ピン６４および下ピン６５によって支持されている。また、このロック片６１の先端部下面には、２個のロック片６１の動作を連動させる連結片６３が取り付けられている。この連結片６３は、上記一実施形態の踏み板５の連結片６３と比べて長尺なものとなっている。なお、その他の構成等は、上記一実施形態と同様である。
【００５１】
（２）上記一実施形態では、ロック片２１を短辺部５２の幅方向中央部に近接して配置したが、本発明はこれに限定されるものではなく、短辺部５２に配置するものであれば、その配置位置は適宜変更可能である。
【００５２】
（３）上記一実施形態では、ロック片２１を、側面視において基端から先端が徐々に先細り形状となり、基端部から先端部に至って前方側へ徐々に湾曲するものとしたが、本発明はこれに限定されるものではなく、ロック片２１は、短辺部５２に取り付けられる基端部と、水平材２の下側に潜り込むように迫り出して水平材２と係合する先端部とが形成された形状であればよく、その形状を適宜変更できる。
【００５３】
（４）上記一実施形態では、ロック片２１の先端下面に板状の連結片２３を取り付けたが、本発明はこれに限定されるものではなく、２個のロック片２１の動作を連動させるものであれば、連結片の位置、大きさ、範囲、形状などは、適宜変更できる。
【符号の説明】
【００５４】
１      踏み板
１０    踏み板本体
１１    長辺部
１２    短辺部
２０    ロック金具
２１    ロック片
２２    長孔
２２ａ  凹部
２３    連結片
３０    フック
２４    上ピン
２５    下ピン
２      水平材
５０    踏み板本体
５２    短辺部
６１    ロック片
６２    長孔
６３    連結片
６４    上ピン
６５    下ピン
７０    フック
【図１】
2013181313.tif 000003
【図２】
2013181313.tif 000004
【図３】
2013181313.tif 000005
【図４】
2013181313.tif 000006
【図５】
2013181313.tif 000007
【図６】
2013181313.tif 000008
【図７】
2013181313.tif 000009
【図８】
2013181313.tif 000010